Podtech/llm-jp-corpus-v4-ja_patent huggingface dataset:
(57)【要約】【課題】風呂や温泉に入浴した時、簡単に装着できて、枕をしたまま、後方の浴壁又は湯面に寄り掛かって、ゆったりとリラックスすることができ、頭を自由に動かせて、首をしめつけることも暑苦しいこともない、浴用浮き枕を提供する。【解決手段】先の方が曲がって鉤状になっている、脇掛け（２）一対を、ほぼ平行にして、浮袋又は水に浮く素材でできた長形の浮き枕（１）の両端付近に、ほぼ直角に設けたことを特徴とする。【選択図】　図１
0003098241.tif 000002
【実用新案登録請求の範囲】
【請求項１】
先の方が曲がって鉤状になっている脇掛け（２）一対を、ほぼ平行にして、浮袋又は水に浮く素材でできた長形の浮き枕（１）の両端付近に、一個ずつ、浮き枕（１）の長方向に対してほぼ直角に、設けたことを特徴とする、浴用浮き枕。
【考案の詳細な説明】
【０００１】
【考案の属する技術分野】
この考案は、風呂や温泉に入浴した時、枕をしたまま、後方の浴壁又は湯面に寄り掛かって、リラックスして入浴するための、浴用浮き枕に関するものである。
【０００２】
【従来の技術】
従来、
（イ）　道具を使って浴壁に枕を装着する浴用枕、或いは、枕に設けた吸着盤を使って浴壁に枕を装着する浴用枕があった。
（ロ）　首を掴む、或いは、首に巻き付く部分を設けた形態の、水に浮く枕、ないしは浮き具があった。
（ハ）　浮袋に紐を設けて、肩に装着する浮き具があった。
【０００３】
【考案が解決しようとする課題】
これらは次のような欠点があった。
（イ）においては、浴槽に入って、頭を寄り掛けようとする部位に壁がないと使用することができなかった。
（ロ）においては、首を掴む、或いは、首に巻き付く作用のために、首を動かしづらく、しめつけられた感じがあり、又、首が暑苦しかった。
（ハ）においては、紐を体に掛けて結ばねばならず、手間がかかって面倒だった。
本考案は、以上の欠点を解決するために考案されたものである。
【０００４】
【課題を解決するための手段】
先の方が曲がって鉤状になっている、脇掛け（２）一対を、ほぼ平行にして、浮袋又は水に浮く素材でできた長形の浮き枕（１）の両端付近に、一個ずつ、浮き枕（１）の長方向に対してほぼ直角に、設けたことを特徴とした、浴用浮き枕である。
【０００５】
【考案の実施の形態】
以下、本考案の実施の形態を説明する。
先の方が曲がって鉤状になっている、脇掛け（２）一対を、ほぼ平行にして、浮袋又は水に浮く素材でできた長形の浮き枕（１）の両端に、一個ずつ、浮き枕（１）の長方向に対してほぼ直角に設ける。
本考案は以上のような構造である。
本考案を使用するときは、入浴の際、浮き枕（１）を後頭部に当てて、脇掛け（２）一対を、両肩のそれぞれの前部を経過させて、鉤状になった先の方を脇に掛けて、先端が、脇の後方にはみ出すようにして、本考案を体に装着する。
本考案をこのようにして使用すると、本考案を装着したまま、浴壁に寄り掛かることができてリラックスでき、又、寄りかかる浴壁がなくても、本考案を装着したまま、後方に、湯面に寄り掛かれば、浮き枕（１）が浮いて、頭を寄り掛けたままリラックスすることができる。
尚、脇掛け（２）の先端をふくらませて、脇の後方に引っ掛かるように、或いは、先端を曲げて、上腕の後側に引っ掛かるようにすると、脇掛け（２）が脇から外れやすいのを、軽減することができる。
【０００６】
【考案の効果】
風呂や温泉の入浴時に、体に簡単に装着できて、枕をしたまま、後方の浴壁又は湯面に、寄り掛かって、ゆったりとリラックスして入浴することができ、頭を自由に動かせて、首をしめつけることもなく、首周りが暑苦しいこともない。
【図面の簡単な説明】
【図１】本考案の斜視図
【図２】本考案の使用状態を示す斜視図
【符号の説明】
１　浮き枕
２　脇掛け
【図１】
0003098241.tif 000003
【図２】
0003098241.tif 000004
(57)【要約】【課題】女子用水着を着用した人を際立たせる為に外形などを変更せず、現用のものを使ってその目的を果たすことを課題とした。【解決手段】従来の女子用水着の縁取りを、蓄光性の蛍光剤を織り込んだ生地を使ってデザイン性を高めたり、模様に同じ素材を使って形成することで解決の手段とした。【選択図】図１
0003098243.tif 000002
【実用新案登録請求の範囲】
【請求項１】
本考案はレジャーに用いる女性用の水着にかかわるもので、女性用水着のレッグホールやアームホール等に、幅２センチ位の蓄光性のある蛍光剤を使った縁取りをして、そのデザイン性を高め、暗い場所などでのその着用者の存在を、強くアピールするための蓄光材入り水着。
【考案の詳細な説明】
【０００１】
【考案の属する技術分野】
本考案は夏季などに水泳のために、主として女性の着用する水着にかかわるものである。
【０００２】
【従来の技術】
近時女性用の水着は、着用して泳ぐ事だけがその目的とは言えず、水辺の散策などを意識したデザインの傾向にあり、形態的や色彩においてもよりめだたしいものへと変遷しつつありながら、そのデザインの要素として蓄光性の蛍光剤を使用した物は無かった。
【０００３】
【考案が解決しようとする課題】
女性用の水着のファション性は、その水着の持つ機能性と共に、消費者に対する訴求力も高く、場合によっては奇をてらうような事すらあるが、自己主張を満足させるための素材として、蓄光性の素材を織り込んだものを使って縁取りをした水着は、昼間はともかくプールサイドや夕暮れの浜辺などでは、その着用者を際立たせることを目的として考案した。
【０００４】
【課題を解決するための手段】
本案は女性用の水着のビギニタイプのものやその他の形の物でも、蓄光性のある蛍光剤を織り込んだ生地を使ってその縁取りや模様のデザインをしたものは、それに滞光させることで半永久的に蛍光を発光させることとなり、これによってその課題を解決出来るものである。
【０００５】
【考案の効果】
本考案は上述のとおり、本来の水着の機能性を全く損なうことも無く、製法なども蓄光性の蛍光剤をその生地に織り込むだけで何ら製法を変えるものではないものでありながら、効果は非常に大きなものがある。
【０００６】
【実施例】
本考案を添付図面によってその実施例を示せば、通常の女子用水着１をそれぞれ織り込む生地に、蓄光性ある蛍光剤を含ませた織り糸で模様２を編みいれ、同じように布の縁３を編み織りして形成すれば、本案に言う蓄光材入り水着を形成することが出来るものである。
【図面の簡単な説明】
【図１】本考案の斜視図である。
【符号の説明】
１　　　　水着、
２　　　　模様、
３　　　　布の縁、
【図１】
0003098243.tif 000003
(57)【要約】　　　（修正有）【課題】構造が簡単で軽量化と低コスト化を図った、傾斜板を提供する。【解決手段】複数の直角三角形の桟１１に、裾部を直角三角形の底角α、頂部を頂角βとした斜面形成板１５を貼り付け、斜面形成板１５の表面に、傾斜方向に対して直交する複数条の凹溝１２を設け、この凹溝１２に、凹溝１２の形状に合わせて裁断した滑り止めテープ１３を貼り付けてなる構成とし、必要ならば上記凹溝１２の両端から斜面形成板１５の端に至る掃き出し溝１４を形成し、傾斜板１０の素材として集成木材を採用し、傾斜板１０の裏側に、傾斜板の後ずれ防止手段である鰭を形成したゴム板１６を付設したものである。【選択図】　図１
0003098276.tif 000002
【実用新案登録請求の範囲】
【請求項１】
複数の直角三角形の桟に、裾部を上記直角三角形の底角、頂部を頂角とした斜面形成板を貼り付け、上記斜面形成板の表面に、傾斜方向に対して直交する複数条の凹溝を設け、この凹溝に、凹溝の内周に合わせた形状の滑り止めテープを貼り付けてなる傾斜板。
【請求項２】
上記凹溝の両端から斜面形成板の端に至る溝を形成してなる請求項１に記載の傾斜板。
【請求項３】
上記斜面形成板を集成木材により作られてなる請求項１または２に記載の傾斜板。
【請求項４】
上記傾斜板の裏側に、傾斜板の後ずれ防止手段を付設してなる請求項１乃至３のいずれかに記載の傾斜板。
【考案の詳細な説明】
【０００１】
【考案の属する技術分野】
この考案は、バリアフリー化における段差解消のための傾斜板に関する。
【０００２】
【従来の技術】
社会の高齢化によりバリアフリー化が多く求められており、出入り口、敷居、框などの段差を解消するための手段として次の特許文献がある。
【０００３】
【特許文献１】
特許第３０５８８７２号公報（段落０００８，０００９、図１）
【特許文献２】
特開２０００−１７９１１９号公報（要約、図１）
【０００４】
【考案が解決しようとする課題】
特許文献１の先行技術に係るものは構造が複雑で高コストになり、特許文献２のものはソリッドタイプで軽量化が図られておらず車椅子で傾斜板を上り詰めたとき車輪の反力で傾斜板が後方にずれてしまう恐れがある。
【０００５】
また、傾斜板の表面に滑り止めのテープを貼り付けた場合、該テープがはがれることがある。
【０００６】
上記従来技術の問題に鑑みこの考案は、構造が簡単で軽量化と低コスト化を図り、車椅子で傾斜板を上り詰めたとき車輪の反力で傾斜板が後方にずれないようにし、滑り止めのテープが剥がれ難いようにした傾斜板を提供することを課題とする。
【０００７】
【課題を解決するための手段】
上記課題を解決するためにこの考案の傾斜板は、複数の直角三角形の桟に、裾部を上記直角三角形の底角、頂部を頂角とした斜面形成板を貼り付け、上記斜面形成板の表面に、傾斜方向に対して直交する複数条の凹溝を設け、この凹溝に、凹溝の内周に合わせた形状の滑り止めテープを貼り付けてなる構成とし、必要ならば上記凹溝の両端から斜面形成板の端に至る溝を形成し、上記傾斜板の素材として集成木材を採用し、傾斜板の裏側に、傾斜板の後ずれ防止手段を付設したものである。上記の如く構成するこの考案によれば、集成木材の採用と、直角三角形の桟に斜面形成板を貼り付けて構造を簡単にしたので軽量化と低コスト化を図ることができた。
【０００８】
また、凹溝に、その形状を合わせた滑り止めテープを貼り付けることにより、該テープの剥がれ防止効果が得られ、凹溝の両端に溝を設けることにより凹溝に溜まった埃の除去が容易になり、後ずれ防止手段により車椅子で傾斜板を上り詰めたとき車輪の反力により傾斜板がずれることがない。
【０００９】
【考案の実施の形態】
次にこの考案の実施形態を、図面を参照しながら説明する。集成木材を材料として直角三角形の桟１１を４個製作し、集成木材を材料とする厚さ２ｃｍの板材の片端を上記直角三角形の桟１１の底角αに合わせ、他端を上記直角三角形の桟１１の頂角βに合わせて削り、その表面に傾斜に対して直交するように幅３ｃｍ、両端を半円形、深さ２ｍｍの凹溝１２を形成し、この凹溝１２に合わせて裁断した滑り止めテープ１３を凹溝１２の底面に貼り付け、該凹溝１２の両端から集成木材の板の両端に至る掃き出し溝１４（埃を掃きだす）を設けて斜面形成板１５とする。
【００１０】
凹溝１２への滑り止めテープ１３の貼り付けは、テープそのものの裏面に粘着層を形成したものを採用するが、この他公知の貼り付け方法を採用することができる。
【００１１】
このように凹溝１２の底面に滑り止めテープ１３を貼り付けることにより、滑り止めテープ１３のエッジに図示しない車椅子の車輪や歩行者の足の裏が直接当たらないので剥がれるのを防止することができる。
【００１２】
上記直角三角形の桟１１に対する斜面形成板１５の貼り付けは、木材用接着剤など公知の接着法で貼り付けられるが、釘や木ネジで貼り付けてもよく、アリとホゾの嵌め合いにしてもよい。
【００１３】
斜面形成板１５と直角三角形の桟１１の両方または片方の裏面に傾斜と同方向に傾いた鰭を形成したゴム板１６が取り付けられている。このゴム板１６の鰭は、傾斜板１０に荷重が加わると、傾斜板１０の頂角方向にベクトル分力が働くようになっている。従って、車椅子が傾斜板１０を上り詰めたところで起きる車輪の反力や、歩行の反力で傾斜板１０は後方にずれることがない。
【００１４】
なお、上記実施形態では鰭を形成したゴム板１６を取り付けたが床面に傷が入ることを拒まないときは、短い爪を植設してもよい。
【００１５】
【考案の効果】
以上説明したようにこの考案によれば、集成木材の採用と、直角三角形の桟に斜面形成板を貼り付けて構造を簡単にしたので軽量化と低コスト化を図ることができ、凹溝に、その形状を合わせた滑り止めテープを貼り付けることにより、該テープの剥がれ防止効果が得られ、凹溝の両端に掃き出し溝を設けることにより凹溝に溜まった埃の除去が容易になり、後ずれ防止手段により車椅子で傾斜板を上り詰めたとき車輪の反力により傾斜板がずれることがない。
【図面の簡単な説明】
【図１】この考案に係る傾斜板の斜視図
【図２】同部分拡大断面図
【符号の説明】
１０　傾斜板
１１　直角三角形の桟
１２　凹溝
１３　滑り止めテープ
１４　掃き出し溝
１５　斜面形成板
１６　ゴム板
【図１】
0003098276.tif 000003
【図２】
0003098276.tif 000004
(57)【要約】【課題】天然素材の持つ自然で素朴な良さを十分に生かすとともに、手に持った際における天然素材の感触及び滑りの無い良好なグリップ感を得る。【解決手段】箸本体２，２に漆３…を塗布した箸１，１を構成するに際して、箸本体２，２を、檜木Ｍ等の天然素材により形成し、箸本体２，２における先端部２ｓ…から長手方向中間部２ｍ…までの所定の下部範囲Ｚｏにのみ漆３…を塗布するとともに、残りの上部範囲Ｚｒ…に天然素材の地肌Ｎが現れるようにする。この場合、箸本体２，２の長手方向略半分に漆３…を塗布する。【選択図】図１
0003098890.tif 000002
【実用新案登録請求の範囲】
【請求項１】
箸本体に漆を塗布した箸において、前記箸本体を天然素材により形成し、前記箸本体における先端部から長手方向中間部までの所定の下部範囲にのみ漆を塗布するとともに、残りの上部範囲に前記天然素材の地肌が現れるようにしたことを特徴とする箸。
【請求項２】
前記天然素材は、檜木であることを特徴とする請求項１記載の箸。
【考案の詳細な説明】
【０００１】
【考案の属する技術分野】
本考案は、漆を塗布した箸に関する。
【０００２】
【従来の技術】
従来、箸本体に漆を塗布した箸としては、特開平７−１１６０４９号公報で開示される箸が知られている。
【０００３】
この箸は、木，竹等からなる箸本体のほぼ全面に、生漆等からなる人体に無害な漆層を形成するとともに、箸先部以外の適宜部分の漆層に、合成樹脂塗料層を形成したものである。これにより、箸先部に、人体に無害な漆層のみが形成され、箸先部以外の適宜部分における漆層上に合成樹脂塗料層が形成される。
【０００４】
【考案が解決しようとする課題】
しかし、上述した従来の箸は、箸本体のほぼ全面に漆層を形成し、この上に合成樹脂塗料層を形成したため、次のような不具合があった。
【０００５】
第一に、箸本体に木材等の天然素材を用いた場合、天然素材のほぼ全面が漆により覆われてしまうため、天然素材の持つ自然で素朴な良さを十分に生かすことができない。
【０００６】
第二に、箸本体の上部（手で持つ部位）が合成樹脂塗料層或いは漆層により被覆されるため、手に持った際における天然素材の感触を得れないとともに、滑りやすいなど、良好なグリップ感を得ることができない。
【０００７】
本考案は、このような従来の技術に存在する課題を解決したものであり、天然素材の持つ自然で素朴な良さを十分に生かすことができるとともに、手に持った際における天然素材の感触及び滑りの無い良好なグリップ感を得ることができる箸の提供を目的とする。
【０００８】
【課題を解決するための手段及び実施の形態】
本考案は、箸本体２，２に漆３…を塗布した箸１，１を構成するに際して、箸本体２，２を天然素材により形成し、箸本体２，２における先端部２ｓ…から長手方向中間部２ｍ…までの所定の下部範囲Ｚｏにのみ漆３…を塗布するとともに、残りの上部範囲Ｚｒ…に天然素材の地肌Ｎが現れるようにしたことを特徴とする。この場合、好適な実施の形態により、天然素材には、檜木Ｍを用いることが望ましい。
【０００９】
【実施例】
次に、本考案に係る好適な実施例を挙げ、図面に基づき詳細に説明する。
【００１０】
図１は、本実施例に係る箸１，１を示す。なお、同図に示す一組の箸１，１は、基本的に同じものであるため、説明は一方の箸１についてのみ行う。
【００１１】
箸１は、箸生地の素材として檜木Ｍを使用し、この檜木Ｍにより箸本体２を製作する。この場合、箸本体２は、先端部２ｓから長手方向中間部２ｍまでの所定の下部範囲Ｚｏの断面を正方形に形成し、中間部２ｍから先端部２ｓへ行くに従って漸次細くなるように、角錐状に形成するとともに、残りの上部範囲Ｚｒの断面を正方形に形成し、長手方向において同一の断面積となるように、角柱状に形成する。この際、箸本体２における角部分は、面取りすることにより、所定のＲ（アール）を付し、このＲの度合は、先端部２ｓへ行くに従って大きくする。したがって、先端部２ｓ及びその付近における断面は、円形に近づけることが望ましい。また、箸本体２における下部範囲Ｚｏと上部範囲Ｚｒの比率は、概ね半々程度に選定することが望ましい。なお、図１において、Ｘｒは、上部範囲Ｚｒにおける円Ｃｒ部分の断面図、Ｘｓは、下部範囲Ｚｏにおける円Ｃｓ部分の断面図をそれぞれ示す。
【００１２】
一方、本考案に従って、箸本体２の下部範囲Ｚｏには、漆３を塗布する。この場合、漆３は、下部範囲Ｚｏにのみ塗布し、残りの上部範囲Ｚｒには塗布しない。即ち、上部範囲Ｚｒには、透明ニス等のいかなる塗料も塗布せず、箸本体２の地肌Ｎがそのまま現れるようにする。実施例は、檜木Ｍを用いたため、上部範囲Ｚｒとなる箸本体２の上半部には、檜木Ｍの有するナチュラル色の木目（地肌Ｎ）が直に露出する。
【００１３】
なお、箸本体２の上部範囲Ｚｒには、必要により、模様や文字等の焼印Ｓを付すことができる。檜木Ｍの場合、ナチュラル色の地肌Ｎが現れるため、焼印Ｓを付すことにより、模様や文字等をくっきりと表すことができる。この場合、塗料等は塗布しないため、外観性や感触、さらにはグリップ感を低下させることはない。
【００１４】
このような本実施例に係る箸１によれば、箸本体２を、檜木Ｍ（天然素材）により形成し、箸本体２における先端部２ｓから長手方向中間部２ｍまでの所定の下部範囲Ｚｏ、即ち、箸本体２の長手方向略半分にのみ漆３を塗布するとともに、残りの上部範囲Ｚｒには、檜木Ｍの地肌Ｎが現れるようにしたため、檜木Ｍの持つ自然で素朴な良さを十分に生かすことができる。また、手に持った際における檜木Ｍの感触を得ることができるとともに、滑りの無い良好なグリップ感を得ることができる。
【００１５】
以上、実施例について詳細に説明したが、本考案はこのような実施例に限定されるものではなく、細部の形状，素材，範囲等において、本考案の要旨を逸脱しない範囲で任意に変更，追加，削除することができる。例えば、天然素材は、檜木Ｍが望ましいが、各種木材を適用できるとともに、竹等にも適用できる。
【００１６】
【考案の効果】
このように、本考案に係る箸は、箸本体を天然素材により形成し、箸本体における先端部から長手方向中間部までの所定の下部範囲にのみ漆を塗布するとともに、残りの上部範囲に天然素材の地肌が現れるようにしたため、天然素材の持つ自然で素朴な良さを十分に生かすことができるとともに、手に持った際における天然素材の感触及び滑りの無い良好なグリップ感を得ることができるという顕著な効果を奏する。
【図面の簡単な説明】
【図１】本考案の好適な実施例に係る箸の断面図を含む正面図、
【符号の説明】
１　　箸
２　　箸本体
２ｓ　先端部
２ｍ　長手方向中間部
３　　漆
Ｍ　　檜木（天然素材）
Ｎ　　地肌
Ｚｏ　下部範囲
Ｚｒ　上部範囲
【図１】
0003098890.tif 000003
(57)【要約】【課題】本考案はアクセサリーを美しく収納し、透明な蓋、回転する台座によりアクセサリーを色々な角度から見ることができる。【解決手段】本考案は台座３に５のネックレス掛けを設け、ネックレスが５ａの枝から落ちないよう５ｂの突起を付け、５のネックレス掛けの周りに６の指輪立て、６ａのイヤリング、ピアス掛け、台座の裏面には４の回転盤をつけ回転するようにし、透明な１のドーム型の蓋を被せることにより、中のアクセサリーを色々な角度から見ることができ、自分の作ったアクセサリーなどを飾りながら保管することができる。【選択図】　　図１
0003098884.tif 000002
【実用新案登録請求の範囲】
【請求項１】
円筒形の上部がドーム型で先端には取っ手が付いた透明な蓋を回転する円形の台座に被せることにより、中にあるアクセサリーが鑑賞、保管でき、かつ容易に取り出せるとしたところを特徴とするアクセサリーケース
【請求項２】
回転する円形の台座の中心に棒を立て、その棒には放射状に枝がついており、枝にはネックレス等が掛け易いように突起が付いている、中心の棒の周りにも同じく短めの棒を立てて指輪の収納ができ、短めの棒と棒の間に板状ベルトを付けることによりイヤリング、ピアスを掛けられるようにしたところを特徴としたアクセサリーケース
【考案の詳細な説明】
【０００１】
【考案の属する技術分野】
本考案は、台座の下には回転盤をつけ、回転するようにし、台座の上には放射状のネックレス掛け、指輪収納の為の棒を設け、透明な蓋をかぶせたアクセサリーケースに関するものである。
【０００２】
【従来の技術】
アクセサリーを保管する場合、ジュエリーボックスなど外側から中のアクセサリーが見えにくいものにいれ、人目につかない場所に保管していた。
【０００３】
【考案が解決しようとする課題】
アクセサリーをリビングなどに飾ることが出来、かつ保管も可能になり着けたいアクセサリーを容易に取り出すことができることで前述の欠点を解決しようとするものである。
【０００４】
【課題を解決する為の手段】
本考案は、円筒形で上部をドーム型にした蓋を透明な素材にすることにより上からも横からも中が見えるようにし、そのドームの中心には取っ手を付けドーム型の蓋の取り外しが容易に出来るようにする。回転する台座にネックレス掛けを立てネックレス等は、枝にぶら下げ、指輪は棒に通し、イヤリング、ピアスは板状のベルトに掛けることにより見た目もきれいにディスプレイされ問題点を解決している。
【０００５】
【考案の実施の形態】
台座を手で回転させ、中のアクセサリーを蓋を取らずに見ることができ、選ぶことができる。また、蓋をはずし、中のアクセサリーの出し入れができる。
【０００６】
【実施例】
以下、添付図面に従って一実施例を説明する。１は透明な適宣素材にて形成されたドーム型のふたで２の取っ手を着けることにより取り外しが容易になる
【０００７】
３の円形の台座の側面には３ａのような多少のでこぼこを付け、手で回転し易いようにし、また、裏面には４のような回転板を取り付け３の台座が回転するようにする。
【０００８】
５は３の台座中心に立つようにする。５の周りには５ａのような枝状のものを放射状に設け、ネックレス等を掛けた際、落ちない用にするために５ａにはさらに５ｂのような突起をつける。この５ａは真上から見ると各枝が重ならないように配置してあり上部にあるものほど短い。
【０００９】
５の周りに６のような指輪を収納するための棒状のものを複数立て、６同士の間に６ａのようなベルト状のもの渡し、イヤリングを挟めるようにする。さらに６ａには小さな穴を開けピアスを収納できるようにする。
【００１０】
【考案の効果】
上述の様に、本考案のドーム型アクセサリーケースは、アクセサリーを収納することは勿論、透明なドーム型の蓋にしたことにより、中のアクセサリーが見え、さらに回転することにより全面が見わたせ、アクセサリーをインテリアとして部屋に飾ることができる。
【図面の簡単な説明】
【図１】本考案のドーム型アクセサリーケースの一実施例を示す正面図であ
る。
【図２】本アクセサリーケースの台座部分の裏面である
【符号の説明】
１　　ドーム型の蓋部分
２　　取っ手
３　　台座
３ａ　台座側面
４　　回転盤
５　５ａ　　ネックレス掛け
５ｂ　ネックレス掛け突起部
６　　指輪立て
６ａ　イヤリング、ピアス掛け
【図１】
0003098884.tif 000003
【図２】
0003098884.tif 000004
(57)【要約】　　　（修正有）【課題】中小型にして、安価な装置を簡潔な構造で課題の解決を得る。【解決手段】３連のチエーン９，１０，１１を建屋内に配設し、２連９，１０は車台用で別途の１連１１は車台の水平保持のものである。【選択図】　図４
0003098883.tif 000002
【実用新案登録請求の範囲】
【請求項１】
チエーンＡ（９）とチエーンＡ′（１０）のピン穴に、連結具（２）の両端を回転自在に嵌入し、その一端にレバー（７）を固着し、他端にピン（８）を設け、チエーンＢ（１１）のピン穴に回転自在に嵌入設置され、又連結具（２）には、ガイド（４）、車輪止（５）、バネ（６）を有する凹形の車台（３）が固着されている、一方チエーンＡ（９）とチエーンＡ′（１０）を相対するように配設し、同様の形状にして別途配設されたチエーンＢ（１１）をＬ寸ずらせて併走するよう配備されている、スプロケットＡ（１２）、スプロケットＡ′（１３）とスプロケットＢ（１４）は、ブレーキモーター（１５）により同一回転するよう構成して成る二輪車の立体収納装置。
【考案の詳細な説明】
【０００１】
【考案の属する技術分野】
本考案は、二輪車の駐車に係るものであり、詳しくは機械的に収納管理に関するものである。
【０００２】
【従来の技術】
従来、この種のものとしては、簡単な二段式のラック状のものや、立体倉庫式の大型のものが知られている。
【０００３】
【考案が解決しようとする課題】
従来の技術で述べたもののうち前者においては人力で上段に設置するのが大変であり、後者では二輪車１台当たりの製造価額が高いという難点があった。
【０００４】
【課題を解決するための手段】
前記の課題を解決するために、本考案は、中小型にして安価な装置を目指した簡潔な構造で課題の解決をはかつている。
【０００５】
【考案の実施の形態】
本考案の実施の形態を実施例にもとづき図面を参照して説明する。
図１．図２に示す如く、３連のチエーンに一定の間隔をおいて連結具（２）と上部に固着した車台（３）を設け、その水平を保つため連結具（２）に固着したレバー（７）．ピン（８）をチエーンＢ（１１）に嵌入して、３連のチエーンが車台（３）の水平を保ちながら併走するよう構成されている、図３は正面図で１６台収納の例であり、図４は側面図で駆動の形態を示している。
【０００６】
【考案の効果】
本考案は、上記のとおり構成されているので、次に記載する効果を奏する。
【０００７】
設置条件により、チエーンの配設を垂直．水平．傾斜いずれも可能である。
【０００８】
収納密度が高い。
【０００９】
構造が簡単でるため安価である。
【図面の簡単な説明】
【図１】車台部の詳細図である。
【図２】車台のイ−イ断面図である。
【図３】全体の正面図である。
【図４】全体の側面図である。
【符号の説明】
１　二輪車
２　連結具
３　車台
４　ガイド
５　車輪止
６　バネ
７　レバー
８　ピン
９　チエーンＡ
１０　チエーンＡ′
１１　チエーンＢ
１２　スプロケットＡ
１３　スプロケットＡ′
１４　スプロケットＢ
１５　ブレーキモーター
【図１】
0003098883.tif 000003
【図２】
0003098883.tif 000004
【図３】
0003098883.tif 000005
【図４】
0003098883.tif 000006
(57)【要約】【課題】従来のボイラーなどに使用される廃湯を用いて上水を暖める熱交換器は、汚泥が廃湯容器と上水を通過させる管に付着し掃除しにくい。また自然対流のみでは熱交換効率が悪い。【解決手段】従来の上水を内側の管を通過させる代わりに廃水を内側の管を通過させる。さらに廃水を通過させる管は連結部以外は直線形状とする。更に直線形状の管の一端にはそれぞれ掃除口を設る。廃水を通過させる管の接続部を概ねＵ字状とし、回転ブラシの先端が曲がって進入できるようにする。二重管とし外側管に上水を通過させ、装置全体に勾配を設けて廃水が流下する速さと方向を制御できるようにする。【選択図】図１
0003098887.tif 000002
【実用新案登録請求の範囲】
【請求項１】
廃水の保有する熱を用いて上水を加熱する廃熱回収装置において、直線と概ねＵ字状の配管を繰り返し接続した形状の配管を備え、各直線形状部の端部に蓋のついた開口部を設けて掃除口とし、各直線形状部の外側に管を配して二重管とし、該内側管に廃水を通過させ、外側の管に上水を通過させることを特徴とする廃熱回収装置。
【請求項２】
廃水が流下するように管路に勾配を設けたことを特徴とする請求項１記載の廃熱回収装置。
【考案の詳細な説明】
【考案の属する技術分野】
本考案は、ボイラーなどに利用される、廃水を用いて上水を加熱する廃熱回収装置に関するものである。
【従来の技術】
従来、ボイラーなどに利用される廃熱回収装置は、図４および図５に示すように使用された後の廃水を入れるタンクとその中にコイル状に設置された上水を通過させる管からなるものであった。
廃水には様々な固形物や溶存物質が存在するため、それが汚泥となって容器内壁や上水を通過させる管の外壁に付着する。
その壁面に付着した汚泥は廃熱回収装置の熱交換効率を低下させるという問題があった。
それらの汚泥は壁面に強固に付着しており、物理的に壁面をこするなどの手段を講じない限りそれを除去することは困難であるが、装置の構造上、汚泥の付着している全ての壁面を清掃するには装置全体を分解することが必要であり大変時間がかかるという欠点があった。
この欠点は装置のメインテナンスの繰り返しを要求するものであり、装置の稼働率や経済性に関して大きな障害であった。
従来の廃熱回収装置においては廃湯容器内の廃湯は自然対流によって上水の管を温めるものであって、熱交換効率が悪かった。
【考案が解決しようとする課題】
解決しようとする問題点は、汚泥の清掃が困難で時間がかかるという欠点である。
もう一つは自然対流により熱交換効率が悪いという欠点である。
【課題を解決するための手段】
本考案は、従来の上水を内側の管を通過させる代わりに廃水を内側の管を通過させる。さらに廃水を通過させる管は連結部以外は直線形状とし、従来の全体をコイル状に巻いた形とは異なることを主要な特徴とする。
更に直線形状の管の一端にはそれぞれ掃除口を設け、その口から回転ブラシを挿入することにより、汚泥の付着する面すべてを容易に物理的に擦るなどの清掃を行うことができるようにしたものである。
廃水を通過させる管の接続部は図１に示すとおり概ねＵ字状とし、回転ブラシの先端が曲がって進入することにより連結部まで清掃できる。
また自然対流による熱交換効率の悪い欠点を、二重管とし外側管に上水を通過させ、さらに装置全体に勾配を設けて廃水が流下する速さと方向を制御できるようにした。
さらに上水の排出口が廃水の供給口側になるようにすることにより熱交換効率を向上させる。
【考案の実施の形態】
直線とＵ字状の連結からなる管の内側を廃水を通過させ、外側に二重の管を設けて上水を通過させる。廃水を通過させる管の直線部の一端に掃除口を設けることにより、掃除口から回転ブラシを挿入して清掃する。これにより装置全体を分解することなく容易、かつ短時間で廃水管壁に付着した汚泥を除去できる。
二重管構造とし、外側管に上水を通過させることにより、従来の自然対流による廃熱回収装置よりよい熱交換効率を得る。また装置を傾斜を持たせて設置することにより、廃水の流下する速さと方向を制御すると共に、上水の排出側に廃水の供給側を設けることにより熱交換効率を向上させることができる。
【実施例】
図１に本発明の実施例の主要部分を、図２にその側面を示す。廃湯を、廃湯を通過させる管１に廃湯給水口１ａから供給する。廃湯は流下して排出口１ｂから排出される。
上水は外側に設けた上水を通過させる管２に、上水供給連結部５から上水供給口２ａを介して供給され、上水の連結部２ｃを通って順次次の管に移動し、上水排出口１ｂから排出される。
全体が支持部材３に支えられているが、供給側支柱３ｂと排出側支柱３ｃの高さの差により装置に傾斜を設けた。これにより供給された廃湯はポンプにより圧力を加えることなく流下する。
図３はごみ取桝を付け加えた実施例の図である。ごみ取桝に廃湯入り口１０から排水を供給し桝内で大型の固形物をろ過除去する。
廃湯の排出口に近い側から上水を供給し、廃湯の供給口に近い側から上水を排出させることにより更に熱交換効率が向上する。
【考案の効果】
以上説明したように本考案の廃熱回収装置は、装置全体を分解することなく、廃湯から生じる汚泥の清掃を容易かつ短時間ですることが可能であり、装置のメインテナンス時間が大幅に短縮される経済的効果を有する。
また二重管構造であり、従来のタンク式容器に廃湯を入れるものよりも、廃湯が管壁に十分に接触し熱交換効率が向上する。また装置が傾斜していることにより、ポンプを用いることなく程よい速さで廃湯を流下させることができる利点を有する。
【図面の簡単な説明】
【図１】本考案の主要部分を示す部分的に断面を含む平面図である。
１　　廃湯を通過させる管
１ａ　廃湯給水口
１ｂ　廃湯排出口
１ｃ　廃湯を通過させる管の連結部
１ｄ　掃除口
２　　上水を通過させる管
２ａ　上水給水口
２ｂ　上水排出口
２ｃ　上水を通過させる管の連結部
３　　支持部材
３ｂ　供給側支柱
３ｃ　排出側支柱
４　　廃湯供給連結部
５　　上水供給連結部
６　　廃湯排出連結部
７　　上水排出連結部
【図２】本考案の主要部分を示す側面図である。
８　　据付面
【図３】ごみ取桝と連結した本発明の実施例の側面図である。
９　　ごみ取桝
１０　　廃湯入り口
【図４】従来の廃熱回収装置例の平面概略図である。
１１　　従来の廃熱回収装置の廃湯容器
１１ａ　従来の廃熱回収装置例の廃湯給水口
１１ｂ　従来の廃熱回収装置例の廃湯排出口
１２　　従来の廃熱回収装置例の上水を通過させる管
１２ａ　従来の廃熱回収装置例の上水供給口
１２ｂ　従来の廃熱回収装置例の上水排出口
１３　　仕切り板
【図５】従来の廃熱回収装置例の図４のａ−−ａから見た正面概略図である。
【図１】
0003098887.tif 000003
【図２】
0003098887.tif 000004
【図３】
0003098887.tif 000005
【図４】
0003098887.tif 000006
【図５】
0003098887.tif 000007
(57)【要約】【課題】デジタル信号でパソコンに直接接続することができる小型の変位センサーヘッドを作ることにより、変位計測を安くて簡便なものにする。【解決手段】変位計測対象物体からの反射光を８の受光レンズを通して９のＣＭＯＳセンサーで受光する。各ピクセルの受光量は１０のＬＳＩでデジタルに変換される。９と１０は携帯電話などに使われるため小さく一体化されたモジュールになっている。デジタル信号は１１の小型基板でＵＳＢ信号に変換され１２のＵＳＢコネクタに出力する。ＵＳＢケーブル経由でパソコンに直接入力する。【選択図】　図１
0003098881.tif 000002
【実用新案登録請求の範囲】
【請求項１】
光電反射式変位センサーの受光部分に、主として携帯電話機のカメラに使用されるＣＣＤ又はＣＭＯＳセンサーカメラモジュールを使用し、そのデジタル出力信号をＵＳＢ信号に変換する回路基板をセンサーヘッド本体に設けることにより、ＵＳＢコネクタ経由でパソコンに直接入出力できる変位センサーヘッド
【考案の詳細な説明】
【０００１】
【考案の属する技術分野】
本考案は、デジタル出力でパソコンに直接入出力する変位センサーヘッドに関するものである。
【０００２】
【従来の技術】
光電反射型変位センサーはセンサーヘッドの受光部に２次元ＣＣＤセンサーを使用し、センサーヘッドから出力されるアナログ信号により別ユニットのコントローラで変位量を検出し、さらにデジタル信号に変換してＲＳ２３２を経由しパソコンに入力している。
【０００３】
【考案の開示】
【考案が解決しようとする課題】
センサーヘッドとコントローラが別ユニットになっているため、設置場所の制限もあり、配線の手間があり、また価格も高価である。したがってセンサーヘッド本体からデジタル信号でパソコンに直接接続することにより前述の欠点を解決しようとするものである。
【０００４】
【課題を解決するための手段】
本考案は、光電反射型変位センサーの受光部に小型で安価なＣＣＤ又はＣＭＯＳセンサーカメラモジュールを使用する。ＣＣＤ又はＣＭＯＳセンサーの受光した各ピクセルのアナログ量はモジュール内部でデジタル信号に変換されているので、そのデータをＵＳＢに変換する回路基板をセンサーヘッド内部に組み込むことによりパソコンへの直接接続が可能となり、問題点を解決している。変位量は各ピクセルの受光量によりパソコンで計算する。
【０００５】
【考案の実施の形態】
従来の反射型光電変位センサー受光部のアナログ出力ＣＣＤの代わりにデジタル信号で出力されるＣＣＤ又はＣＭＯＳセンサーカメラモジュールを使用する。このデジタル信号をＵＳＢに変換する小型の回路基板をセンサーヘッド内部に組込み、その出力をセンサーヘッド後部に設けたＵＳＢコネクタへ出力する。
【０００６】
【実施例】
以下、添付図面に従って一実施例を説明する。１は耐久性のプラスチックス等適宜素材にて一体形成された変位センサーヘッド本体、５はレーザー光が発射される窓、７は反射した光をセンサーに受光する窓、１２はセンサーヘッドからパソコンへ直接入出力するためのＵＳＢコネクタである。
【０００７】
信号の流れは、３の半導体レーザーから発射されたレーザー光を４のレンズを通して変位計測対象物体にあて、反射光を８の受光レンズを通して９の２次元ＣＭＯＳセンサーで受光する。各ピクセルの受光量は１０のＬＳＩでデジタルに変換される。９と１０は小さく一体化されたモジュールである。デジタル信号は１１の小型基板でＵＳＢ信号に変換され１２のコネクタに出力される。
【０００８】
ＵＳＢケーブル経由でパソコンに取り込まれたＣＭＯＳセンサーカメラモジュールの各ピクセルの受光データはパソコンで計算され、そのピーク位置から変位位置を計算する。計算方法は２次元ＣＭＯＳセンサーの短辺の情報を積算し、長辺の位置情報を計算する。また、センサーヘッド投光部の光源駆動回路の制御もＵＳＢを経由してパソコンから直接行う。
【０００９】
【考案の効果】
本考案により光電反射型変位センサーは別ユニットのコントローラが不要になるため、設置場所や配線がいらず、安価になる。またＵＳＢ接続にすることでノートパソコンでの変位計測も可能になる。
【図面の簡単な説明】
【図１】本考案のデジタル出力変位センサーヘッドの断面図である
【図２】本変位センサーヘッドの外観図である
【符号の説明】
１　変位センサーヘッド本体
２　レーザー発光駆動回路
３　半導体レーザーまたはＬＥＤ
４　投光レンズ
５　光出力窓変位計測対象物体光出力窓
６　光出力窓
７　反射光入力窓
８　反射光受光レンズ
９　２次元ＣＭＯＳセンサー
１０　ＣＭＯＣカメラモジュールＬＳＩ
１１　ＵＳＢ変換小型ボード
１２　ＵＳＢコネクタ
【図１】
0003098881.tif 000003
【図２】
0003098881.tif 000004
(57)【要約】　　　（修正有）【課題】毛髪にｐｈに起因する障害を与えない、毛髪に好ましいヘアーキャップを提供する。【解決手段】毛髪と接触する部位を繊維で形成し、該繊維の表面を毛髪と同様の弱酸性にする。【選択図】　　　　図１
0003098886.tif 000002
【実用新案登録請求の範囲】
【請求項１】
少なくとも毛髪と接触する部位が、繊維から形成されｐｈ４．５〜６．０の弱酸性であるヘアーキャップ。
【考案の詳細な説明】
【０００１】
【考案の属する技術分野】
本考案は、毛髪の美容の為に用いるヘアーキャップに関する。
【０００２】
【従来の技術】
吸水性が良好な繊維から形成されたヘアーキャップ、遠赤外線やマイナスイオンを放出する繊維から形成されたヘアーキャップ等がある。
【０００３】
【考案が解決しようとする課題】
健康体の毛髪はｐｈ４．５〜６．０の弱酸性である。毛髪をｐｈ５前後の弱酸性の水溶液に浸した場合、頭皮も含め適度な収斂をおこし細胞が活性する。事実、シャンプー後のリンスも酢を薄めたものが毛髪や頭皮に対してとても好ましいと言われている。同様にアルカリ性の水溶液に浸した場合は膨潤し細胞の腐敗が進む。同じく酸性の強い水溶液に浸した場合は細胞内の成分が溶出し乾燥や軋みが生じる。毛髪に対してｐｈ的に好ましいヘアーキャップが望まれるが、そのような考えで創られたヘアーキャップは無かった。
【０００４】
本考案はこのような問題に鑑みてなされたものであり、毛髪にｐｈに起因する障害を与えない、毛髪に好ましいヘアーキャップを提供することを目的としている。
【０００５】
【課題を解決するための手段】
上記目的を達成するために本考案のヘアーキャップは、毛髪と接触する部位を繊維で形成し、該繊維の表面を毛髪と同様の弱酸性にする。弱酸性について詳しくは、ｐｈ４．５より低い場合は毛髪に乾燥が見られる人がいること、ｐｈ６．０より高い場合は細胞が活性するデータや実感が得難いので健康体の毛髪と同じｐｈ４．５〜６．０の弱酸性にする。
【０００６】
【考案の実施の形態】
先ず外観形状は、広く普及しているキャップ型にするのが便利だがターバンのような形状でも良い。また図１のように毛髪を全面に被う形状が一般的だが、図２のような毛髪が一部露出するような形状でも良い。次に使用時に毛髪と接触する部位は、柔軟性と剛性及び通気性を有し弱酸性化など必要に応じて繊維の表面処理も容易に行うことができるので、繊維で形成する。繊維はアクリル等の合成繊維でも、シルクなどの天然繊維でも良い。さらに毛髪と接触する部位は、ｐｈ４．５〜６．０の弱酸性にする。詳しくは、例えば毛髪と接触する部位を形成する繊維に市販の弱酸性繊維を用いる、或いはタンパク質を加えクエン酸処理した木綿を用いるなど種々の方法があるので商品の仕様を考慮し選定すれば良い。
【０００７】
【考案の効果】
以上説明したように本考案のヘアーキャップは、毛髪にｐｈに起因する障害を与えず、細胞が適度な収斂をおこし活性する作用を有する。
【図面の簡単な説明】
【図１】本発明のヘアーキャップの、実施例１の参考斜視図である。
【図２】本発明のヘアーキャップの、実施例２の参考斜視図である。
【符号の説明】
１　　ヘアーキャップ
【図１】
0003098886.tif 000003
【図２】
0003098886.tif 000004
(57)【要約】　　　（修正有）【課題】Ｘ，Ｙ方向に自在に移動する工作機械の主軸と自在に連動する、工作機械の主軸周辺の摺動部保護カバーの提供。【解決手段】窓枠状体Ａの上下に設けた案内レールＡ１，Ａ２に沿って摺動する窓枠状体Ｂと前記窓枠状体Ａ間が折り畳み式ジャバラで連結され、窓枠状体Ｂの案内レールＢ１，Ｂ２に沿って摺動する窓状体Ｃと窓枠状体Ｂ間がテレスコカバーで連結されている。【選択図】　　図１
0003098874.tif 000002
【実用新案登録請求の範囲】
【請求項１】
金属よりなる窓枠状体Ａに対して、水平方向に左右自在に摺動する窓枠状体Ｂを設け、更に、その窓枠状体Ｂに対して垂直方向に自在に摺動する窓状体Ｃを設け、断面、略長方型の両側部に円形窪みを有する複数の金属ブロックを、前記窪み部に合致した突出部を両側部に有するゴム状弾性体で連結してなる２本のベルト状体Ｄの一つを窓枠状体Ｂの左端に、他の一つを窓枠状体Ｂの右端に止着し、その２本のベルト状体Ｄのそれぞれの他端を窓枠状体Ａの左右に設けた引き出し装置に止着し、窓枠状体Ｂの上下両端に止着し、その窓枠状体Ｂの側部に沿って、複数の薄厚金属板を摺動自在に連結してなる鉄板製カバーＥのそれぞれの他端を対向する窓状体Ｃの左右両端に止着し、窓状体Ｃの上下左右の動きに対してベルト状体Ｄ及び鉄板製カバー体Ｅが自在に伸縮追従する如くなした、水平・垂直方向移動用工作機械の摺動面保護カバーに於いて、
窓枠状体Ｂは、窓枠状体Ａの水平方向に設けた案内レールＡ１及びＡ２に沿って水平方向に自在に移動する如くなし、窓状体Ｃは、窓枠状体Ｂの垂直方向に設けた案内レールＢ１及びＢ２に沿って垂直方向に自在に移動するようにした事を特徴とする、水平・垂直方向移動用工作機械の摺動面保護カバー。
【考案の詳細な説明】
【０００１】
本考案は、水平・垂直方向にヘッド部が移動する工作機械等の摺動部を切子や粉塵、又切削油等液体が機械内部に侵入しないように保護する目的で用いられる保護カバーに関する。
以下にその一実施例を図面に従って説明するする。
【０００２】
図１に本考案の水平・垂直方向移動用工作機械の摺動面保護カバーの斜視図を示す。図２にベルト状体Ｄの一実施例の断面図を示す。図３に断面略長方形の金属ブロック体Ｄ２の斜視図、図４は断面がダンベル形のゴム状弾性体よりなる帯状体Ｄ１の斜視図、図５はベルト状体ＤＡ及びＤＢをそれぞれドラムＤＡ２及びＤＢ２巻き取り方式を示す断面図、図６は鉄板製カバーＥの断面図を示す。
【０００３】
図１に於いて、工作機械のヘッドが装着される窓状体Ｃは、それの上下方向の端部に金属薄板を摺動自在に重ね合わせ、夫々の薄板が摺動伸縮方向に連結するようにした、図６の断面図に示す鉄板製カバーＥの一端Ｅ１，及び他端Ｅ２を夫々対向する窓枠状体Ｂの図中上及び下の辺に固定し、互いに連結した窓状体Ｃ、鉄板製カバーＥは、窓枠状体Ｂの図中左右に設けた案内レールＢ１，Ｂ２に沿って垂直方向に摺動する如くなしている。
窓枠状体Ｂは、それの図中左右方向の端部に、図３の斜視図に示す、断面略長方形の金属ブロックＤ２の幅方向両端部より奥部に湾曲部を有する溝Ｄ３−１，Ｄ３−２を設けた隣接金属ブロック体Ｄ２の左右溝Ｄ３−１、Ｄ３−２に、図４の斜視図に示す断面がダンベル形のゴム状弾性体よりなる帯状体Ｄ１の膨らみ部Ｄ１−１，Ｄ１−２を挿入することによって、複数の金属ブロック体Ｄ１を図２の断面図に示す如く連結して、２本のベルト状体ＤＡ，ＤＢを形成し、そのベルト状体ＤＡ，ＤＢの夫々の一端を窓枠状体Ｂの図中左右の辺Ｂ１，Ｂ２に固定し、夫々の他端は、後で説明する引出し装置に装着する。
上記によって窓枠状体Ｂの左右に連結されたベルト状体ＤＡ，ＤＢは、窓枠状体Ａの図中上下に設けた案内レールＡ１及びＡ２に沿って、図中左右に自在に摺動する。
【０００４】
図５の断面図において、ベルト状体ＤＡ及びＤＢは窓枠状体Ｃを介して連結され、ベルト状体ＤＡはガイドドラムＤＡ１を介して巻き取りドラムＤＡ２に図中の矢印の反時計方向にスプリングのねじり反力により巻き込み力を生じるようになし、同様に、ベルト状体ＤＢはガイドドラムＤＢ１を介して、巻き取りドラムＤＢ２に図中、矢印の時計方向に常にスプリングによるネジリ反力により巻き込み力を生じるようにしている。窓枠状体Ｃを介して連結されたベルト状体ＤＡ，ＤＢ間には、それに対する前記、巻き込み力により、所定の張力が加わるようになしている。すなわち、窓枠状体Ｃの移動に対して追従するようにしていることを特徴とする、水平・垂直方向移動用工作機械の摺動面保護カバー。
【図面の簡単な説明】
【図１】本考案の水平・垂直方向移動用工作機械の摺動面保護カバーの斜視
図
【図２】ベルト状体Ｄの一実施例の断面図
【図３】断面略長方形の金属ブロック体Ｄ２の斜視図
【図４】断面がダンベル形のゴム状弾性体よりなる帯状体Ｄ１の斜視図
【図５】ベルト状体ＤＡ及びＤＢをそれぞれドラムＤＡ２及びＤＢ２巻き取り方式を示す断面図、図６は鉄板製カバーＥの断面図を示す。
【図６】鉄板製カバーＥの断面図
【符号の説明】
Ａ・・・窓枠状体、Ａ１・・・案内レール、Ａ２・・・案内レール、Ｂ・・・窓枠状体、Ｂ１・・・窓枠状体Ｂの図中左右の辺、Ｂ２・・・窓枠状体Ｂの図中左右の辺、Ｃ・・・窓状体、Ｄ・・・ベルト状体、Ｄ１・・・帯状体、Ｄ１−１・・・帯状体の膨らみ部、Ｄ１−２・・・帯状体の膨らみ部、Ｄ２・・・金属ブロック、Ｄ３−１・・・湾曲部を有する溝、Ｄ３−２・・・湾曲部を有する溝、ＤＡ・・・ベルト状体、ＤＢ・・・ベルト状体、ＤＡ１・・・ガイドドラム、ＤＡ２・・・巻き取りドラム、ＤＢ１・・・ガイドドラム、ＤＢ２・・・巻き取りドラム、Ｅ・・・鉄板製カバー、Ｅ１・・・鉄板製カバーのカバー体、Ｅ２・・・鉄板製カバーのカバー体、Ｅ３・・・鉄板製カバーのカバー体
【図１】
0003098874.tif 000003
【図２】
0003098874.tif 000004
【図３】
0003098874.tif 000005
【図４】
0003098874.tif 000006
【図５】
0003098874.tif 000007
【図６】
0003098874.tif 000008
(57)【要約】【課題】視覚障害者誘導標示の設置において、施工時間の短縮、設置面の凸凹にも確実に接着が出来、また設置後においても美観をそこなわない形状にする。【解決手段】視覚障害者誘導標示の一辺の長さを他辺の長さの２倍（６００ｍｍ×３００ｍｍ）にし、材質は変性ビニルエステル系で形成した。【選択図】　　　図１
0003098875.tif 000002
【実用新案登録請求の範囲】
【請求項１】
視覚障害者誘導標示の一辺の長さを、他辺の長さの２倍にした長方形の視覚障者誘導標示の形状。
【考案の詳細な説明】
【０００１】
【考案の属する技術分野】
本考案は、視覚障害者を誘導するために、歩道及び公共施設等に設置してある視覚障害者誘導用標示設備に関するものである。
【０００２】
【従来の技術】
従来では、視覚障害誘導標示を設置する方法として、一般に次の三通りの方法が取られている。第１の方法として、道路の歩道部には、縦３００ｍｍ横３００ｍｍの視覚障害者誘導用平板ブロックを路面を掘削して埋設する。
【０００３】
第２の方法は、設置面上に接着剤を塗布し、縦３００ｍｍ横３００ｍｍの視覚障害者用誘導用マットを貼付ける。
【０００４】
第３の方法は、設置面上にアクリル樹脂を塗布し、縦３００ｍｍ横３００ｍｍの視覚障害者誘導用多孔質シートを配置し、塗布されたアクリル樹脂を多孔質シートに滲み出させ、このアクリル樹脂の硬化によって設置面に接着させる。
【０００５】
【考案が解決しようとする課題】
第１の方法では、路面を掘削して、平板ブロックを据え付ける為に施工時間を長く必要とする。設置後の平板ブロックの表面は、汚れにくい。
【０００６】
第２方法では、短期間での施工が可能であり、施工後のマットの表面も汚れにくいが、製品に剛性を与える為に厚さを持たせており、設置面の凸凹に接着しにくく剥離しやすい。
【０００７】
第３の方法は、第２の方法に比べアクリル樹脂の硬化に時間を要するものの第１の方法に比べ短時間での施工が可能であり、設置面の凸凹にも対応できるが、施工時においてアクリル樹脂に刺激臭があり施工時間・場所を考慮する必要がある。また、多孔質シートであるが故、シートに皺が発生しやすい。その皺が設置後の見栄の悪さ及び汚れの原因になっている。
【０００８】
【課題を解決するための手段】
本考案の請求項である視覚障害者誘導標示の形状は、従来から縦横３００ｍｍの正方形と固定化されており、さらなる施工時間の短縮を図る為、一辺６００ｍｍ他辺３００ｍｍの長方形とした。
【０００９】
また、掘削作業を必要とせず凸凹のある設置面でも施工が出来、皺の発生しない、なおかつ美観を損なわない材質として変性ビニルエステル系で視覚障害者標示を形成した。
【００１０】
【考案の実施の形態】
位置の表示用（注意すべき位置等を示す）には
【図１】の上図の点状マットを
また、方向表示用（誘導対象施設等の方向を示す）として
【図１】の下図の線状
マットを設置面に接着用樹脂を塗布し、その上に
【図１】に示す各々の形状マットを接着する。
【００１１】
【考案の効果】
【図３】に示す様に横断歩道への誘導において、停止をうながす位害に視覚障害者誘導標示の点状物を二列配置で設置する様に定められており、従来品での施に比べ、本考案品を使用する事によって、より施工性の向上を図る事が出来る。
【００１２】
また、設置面の凸凹にとらわれる事なく、製品に皺が発生する事なく設置する事が出来る。
【図面の簡単な説明】
【図　１】点状マットと線状マットの平面図である。
【図　２】点状マットと線状マットの断面図である。
【図　３】従来品での施工と本考案の施工を比較した平面図である。
【符号の説明】
１　考案点状マット
２　考案線状マット
３　従来の点状マット
４　従来の線状マット
５　歩道部
６　車道部
７　横断歩道
【図１】
0003098875.tif 000003
【図２】
0003098875.tif 000004
【図３】
0003098875.tif 000005
【手続補正書】
【提出日】平成15年8月5日(2003.8.5)
【手続補正２】
【補正対象書類名】明細書
【補正対象項目名】実用新案登録請求の範囲
【補正方法】変更
【補正の内容】
【実用新案登録請求の範囲】
【請求項１】
視覚障害者誘導表示の一辺の長さを、他辺の長さの２倍にした長方形の視覚障害者誘導表示板。
(57)【要約】【課題】灸をより安全に、より簡単に使用する代替え品を作成する。【解決手段】難燃性繊維の袋に塩、薬草、保温性セラミックを混入、少量水を掛けた後、電子レンジで温め、灸の代替えとして使用する。【選択図】　　図１
0003098880.tif 000002
【実用新案登録請求の範囲】
【請求項１】
難燃性繊維の袋に、塩と各種薬草及び保温荷担する為の粉末状あるいは粒状セラミックを混入、電子レンジにて加熱する事により、従来の灸と代替えする事が可能な温熱灸。
【考案の詳細な説明】
【０００１】
【考案の属する技術分野】
本考案は、古来より愛用されてきた灸をより安全に、且つ、簡単に使用可能とする温熱灸である。
【０００２】
【従来の技術】
従来、灸は、薬草を患部にあて、燃焼させる事により、地肌を通し、薬草の効果を体内に取り込むものである。
【０００３】
【考案が解決しようとする課題】
灸は、直接地肌に使用する為、火傷の原因になったり、火事の原因になることもあり、また、その煙の臭いによって、周りの人に、不快感を与えることもあり、且つ又、その高温の為、臍を温める事は、人体において、有効である事は知られているにも関わらず、使用できないという問題点があった。
【０００４】
【課題を解決する為の手段】
上記の問題点を解決する為、火を使用せず、煙を発生させず、それでいて、従来通りの効果をもたせる為、難燃性繊維を使用した袋に、塩と薬草と保温荷担するセラミックを入れて、電子レンジで加熱し、程良い熱温にて、従来、灸を使用してきた患部、あるいは、臍に使用する。
【０００５】
【考案実施の形態】
考案の実施形態について図面を参照して説明する。
図−１の様に作成した物を電子レンジに投入、約２分から３分加熱の後、肩、臍、腰それぞれにのせ、局部を温めた。
【０００６】
【考案の効果】
図−１は、電子レンジ加熱後、約２０分程、程良い熱さを保ち、肩にあてる事により、肩凝りが軽減し、腰にあてる事により、腰痛が軽減し、臍に使用する事が可能となり、臍から身体を温める事により、手、足の冷えが軽減され、腹痛が軽減され、便通が良くなった。
【図面の簡単な説明】
【図１】本考案の形態例である。
【符号の説明】
ａ．難燃性繊維による袋である。
ｂ．塩である。
ｃ．薬草である。
ｄ．保温性セラミックである。
【図１】
0003098880.tif 000003